(57)【要約】【課題】大画面および高輝度プラズマディスプレイパネルであっても、前面基板に大きな温度勾配を生じさせない。【解決手段】複数の走査電極および複数の維持電極を形成した前面基板２１と複数のデータ電極を形成した背面基板とを対向配置したパネルと、維持電極に印加する駆動電圧波形を供給する複数の回路基板７５〜７９とを有するプラズマディスプレイ装置であって、パネルは、複数の維持電極を電気的に短絡する短絡線と短絡線に電気的に接続され複数の電極端子群にグルーピングされた複数の電極端子とを前面基板２１にさらに形成し、隣接する電極端子群の間の領域の裏面側の領域を覆うように、前面基板２１に熱伝導テープ８１を貼り付けた。【選択図】図７
2012083533.tif 000002
【特許請求の範囲】
【請求項１】
複数の走査電極および複数の維持電極を形成した前面基板と複数のデータ電極を形成した背面基板とを対向配置したプラズマディスプレイパネルと、前記維持電極に印加する駆動電圧波形を供給する複数の回路基板とを有するプラズマディスプレイ装置であって、
前記プラズマディスプレイパネルは、
複数の前記維持電極を電気的に短絡する短絡線と、前記短絡線に電気的に接続され複数の電極端子群にグルーピングされた複数の電極端子とを前記前面基板にさらに形成し、
隣接する前記電極端子群の間の領域の裏面側の領域を覆うように、前記前面基板に熱伝導テープを貼り付けたことを特徴とするプラズマディスプレイ装置。
【請求項２】
前記熱伝導テープは、前記前面基板の端部から前記短絡線の少なくとも一部と重なる幅であり、かつ隣接する前記電極端子群のそれぞれの少なくとも一部と重なる長さであることを特徴とする請求項１に記載のプラズマディスプレイ装置。
【請求項３】
前記熱伝導テープは金属テープであることを特徴とする請求項１に記載のプラズマディスプレイ装置。
【請求項４】
隣接する電極端子群のうち、異なる回路基板から駆動電圧波形が供給される電極端子群の間の領域の裏面側の領域を覆うように、前記前面基板に前記熱伝導テープを貼り付けたことを特徴とする請求項１に記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
フラットディスプレイとして代表的なプラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
パネルは、対向配置された前面基板と背面基板との間に多数の放電セルが形成されている。前面基板上には、１対の走査電極と維持電極とからなる表示電極対が互いに平行に複数対形成されている。背面基板上には、複数の平行なデータ電極が形成され、さらに隔壁と蛍光体層が形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。
【０００４】
プラズマディスプレイ装置は、走査電極および維持電極にフレキシブル配線基板（以下、「ＦＰＣ」と略記する）を介して維持パルスを交互に印加して放電セル内で放電を発生させて発光させることにより画像を表示している。
【０００５】
このとき、放電セルが発光する際に発熱しパネルの温度が上昇する。またＦＰＣからパネルの電極端子を経て放電セルにいたるまでの電流経路のインピーダンスも発熱の要因となっている。一般に放電セルの放電特性は温度の影響を受けて変化するため、パネルの温度が上がりすぎると放電が不安定となり、画像表示品質が劣化することがある。またパネルの温度が局部的に極端に上昇するとパネルの破損につながるおそれもある。
【０００６】
そのため、パネルの温度を抑えるさまざまな方法が提案されてきた。例えば特許文献１には、シリコン系樹脂等からなる熱伝導シートを介してパネルをシャーシに取り付けることにより、パネルで発生した熱をシャーシに効率よく伝導して、パネルの温度上昇を抑える方法が開示されている。
【０００７】
また、特許文献２には、複数の維持電極を電気的に短絡する短絡線を背面基板上に設けて電流経路のインピーダンスを下げ、電流経路の発熱を抑えるとともに、パネルの短絡線を設けた領域とシャーシとの間に熱伝導シートを介在させ、短絡線およびその周辺で発生した熱をシャーシに効率よく伝導して、パネルの温度上昇を抑える方法も開示されている。
【先行技術文献】
【特許文献】
【０００８】
【特許文献１】特開平１０−２５４３７２号公報
【特許文献２】特開２００８−８３１３５号公報
【発明の概要】
【発明が解決しようとする課題】
【０００９】
近年はパネルの大画面化にともない、複数の回路基板を用いて各電極に駆動電圧を供給している。また、パネルの大画面化および高輝度化にともない維持放電にともなう電流は大きくなってきている。そのため短絡線を流れる電流も従来よりはるかに大きくなってきている。そして隣接する電極端子群の間の短絡線付近に電流集中が発生し、この部分で局部的に温度が上昇する、いわゆるヒートスポットが発生する。そしてヒートスポットの発生により前面基板に大きな温度勾配が発生するとパネルを破損させるおそれがあった。
【００１０】
本発明はこのような課題に鑑みなされたものであり、大画面および高輝度パネルであっても、前面基板に大きな温度勾配を生じることのないプラズマディスプレイ装置を提供することを目的とする。
【課題を解決するための手段】
【００１１】
上記目的を達成するために本発明のパネルは、複数の走査電極および複数の維持電極を形成した前面基板と複数のデータ電極を形成した背面基板とを対向配置したパネルと、維持電極に印加する駆動電圧波形を供給する複数の回路基板とを有するプラズマディスプレイ装置であって、パネルは、複数の維持電極を電気的に短絡する短絡線と短絡線に電気的に接続され複数の電極端子群にグルーピングされた複数の電極端子とを前面基板にさらに形成し、隣接する電極端子群の間の領域の裏面側の領域を覆うように、前面基板に熱伝導テープを貼り付けたことを特徴とする。この構成により、大画面および高輝度パネルであっても、前面基板に大きな温度勾配を生じることのないプラズマディスプレイ装置を提供することができる。
【００１２】
また本発明のプラズマディスプレイ装置の熱伝導テープは、前面基板の端部から短絡線の少なくとも一部と重なる幅であり、かつ隣接する電極端子群のそれぞれの少なくとも一部と重なる長さであることが望ましい。
【００１３】
また本発明のプラズマディスプレイ装置の熱伝導テープは金属テープであることが望ましい。
【００１４】
また本発明のプラズマディスプレイ装置のパネルは、隣接する電極端子群のうち、異なる回路基板から駆動電圧波形が供給される電極端子群の間の領域の裏面側の領域を覆うように、前面基板に熱伝導テープを貼り付けてもよい。
【発明の効果】
【００１５】
本発明によれば、大画面および高輝度パネルであっても、前面基板に大きな温度勾配を生じることのないプラズマディスプレイ装置を提供することが可能となる。
【図面の簡単な説明】
【００１６】
【図１】本発明の実施の形態におけるプラズマディスプレイ装置のパネルの構造を示す分解斜視図である。
【図２】同プラズマディスプレイ装置のパネルの電極配列図である。
【図３】同プラズマディスプレイ装置のパネルの電極端子の配置を示す図である。
【図４】同プラズマディスプレイ装置のパネルの各電極に印加する駆動電圧波形を示す図である。
【図５】同プラズマディスプレイ装置の回路ブロック図である。
【図６】同プラズマディスプレイ装置の構造を示す分解斜視図である。
【図７】同プラズマディスプレイ装置のパネルと維持電極駆動回路との接続を示す図である。
【図８Ａ】本発明の実施の形態における熱伝導テープを貼り付けたパネルの模式図である。
【図８Ｂ】熱伝導テープを貼り付けないパネルの模式図である。
【発明を実施するための形態】
【００１７】
以下、本発明の実施の形態におけるプラズマディスプレイ装置について、図面を用いて説明する。
【００１８】
（実施の形態）
図１は、本発明の実施の形態におけるプラズマディスプレイ装置のパネル１０の構造を示す分解斜視図である。前面基板２１上には、走査電極２２と維持電極２３とからなる表示電極対２４が複数形成されている。そして走査電極２２と維持電極２３とを覆うように誘電体層２５が形成され、誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１９】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２０】
図２は、本発明の実施の形態におけるプラズマディスプレイ装置のパネル１０の電極配列図である。パネル１０には、行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、放電セルは放電空間内にｍ×ｎ個形成されている。このｍ×ｎ個の放電セルが形成された領域は画像表示領域であり、前面基板２１側の画像表示領域に画像が表示される。
【００２１】
走査電極２２および維持電極２３の数は、パネル１０が高精細度仕様の１５０吋パネルであれば、例えばｎ＝２１６０本である。そしてこれらの電極のそれぞれは、前面基板２１、背面基板３１の画像表示領域の外側であってパネル１０の周辺部に設けられた電極端子のそれぞれに接続されている。
【００２２】
図３は、本発明の実施の形態１におけるプラズマディスプレイ装置４０のパネル１０の電極端子の配置を示す図であり、前面基板２１を表示電極対２４が形成された面からみた図である。
【００２３】
走査電極２２には、後述するようにそれぞれ異なった駆動電圧を印加する必要がある。そのために走査電極２２のそれぞれは、引出し線６１によって、画像表示領域外の右側の周辺部に設けられた走査電極用の電極端子６２のそれぞれに接続されている。そして走査電極用のＦＰＣ７２を接続するために、走査電極用の電極端子６２はそれぞれ複数本ずつグルーピングされて走査電極用の電極端子群６４として配置されている。本実施の形態においては、例えば走査電極２２は２１６０本であり、走査電極用の電極端子６２は１２０本ずつ１８個の走査電極用の電極端子群６４にグルーピングされている。そして、それぞれの走査電極用の電極端子群に１枚ずつ、合計１８枚の走査電極用のＦＰＣ７２が接続される。
【００２４】
一方、維持電極２３のそれぞれには後述するように同一の駆動電圧を印加すればよいので、維持電極２３のそれぞれは維持電極２３を電気的に短絡する短絡線６６に接続されている。そして短絡線６６に維持電極用のＦＰＣ７３を接続するために、維持電極用の電極端子６３が複数の維持電極用の電極端子群６７にグルーピングされ画像表示領域外の左側周辺部に設けられている。
【００２５】
維持電極２３のそれぞれは電気的に短絡されているために、維持電極用の電極端子６３の数、維持電極用のＦＰＣ７３の数およびその取り付け位置には任意性がある。本実施の形態においては、例えば維持電極用の電極端子６３は１３本ずつ１８個の維持電極用の電極端子群６７にグルーピングされており、それぞれの維持電極用の電極端子群に１枚ずつ、合計１８枚の維持電極用のＦＰＣ７３が接続されている。
【００２６】
このように、前面基板には、複数の維持電極２３を電気的に短絡する短絡線６６と、短絡線６６に電気的に接続され複数の維持電極用の電極端子群６７にグルーピングされた複数の維持電極用の電極端子とがさらに形成されている。
【００２７】
なお、本実施の形態においては、短絡線６６の幅は１８ｍｍであり、前面基板２１の端部から１０．５ｍｍの位置に設けられている。しかし短絡線６６の幅およびその位置はパネルの仕様等により設定すればよい。
【００２８】
次に、パネル１０を駆動する方法について説明する。本実施の形態においては、画像信号に応じた階調を表示する方法としていわゆるサブフィールド法を用いている。サブフィールド法は１フィールド期間を初期化期間、書込み期間、維持期間を有する複数のサブフィールドに分割し、サブフィールド毎に各放電セルの発光・非発光を制御することによって階調表示を行う方法である。
【００２９】
図４は、本発明の実施の形態におけるプラズマディスプレイ装置のパネル１０の各電極に印加する駆動電圧波形を示す図である。図４には３つのサブフィールドＳＦ１〜ＳＦ３に対する駆動電圧波形を示しているが、他のサブフィールドにおける駆動電圧波形もほぼ同様である。
【００３０】
サブフィールドＳＦ１の初期化期間では、電圧Ｖｉ２に向かって緩やかに上昇するランプ電圧を走査電極２２に印加する。その後、維持電極２３に電圧Ｖｅを印加するとともに、電圧Ｖｉ４に向かって緩やかに下降するランプ電圧を走査電極２２に印加する。すると各放電セルで微弱な初期化放電が発生し、続く書込み動作に必要な壁電荷を各電極上に形成する。
【００３１】
なお、初期化期間の動作としては、サブフィールドＳＦ２、ＳＦ３の初期化期間に示したように、緩やかに下降するランプ電圧を走査電極２２に印加するだけでもよい。
【００３２】
続く書込み期間では、１行目の走査電極２２に電圧Ｖａの走査パルスを印加するとともに、発光すべき放電セルに対応するデータ電極３２に電圧Ｖｄの書込みパルスを印加する。すると走査パルスと書込みパルスとが同時に印加された１行目の放電セルでは書込み放電が発生し、放電セルの走査電極２２上および維持電極２３上に壁電荷を蓄積する書込み動作が行われる。
【００３３】
以上の書込み動作をすべての行の放電セルで繰り返し、発光すべき放電セルに対して選択的に書込み放電を発生させ壁電荷を形成する。
【００３４】
続く維持期間では、維持電極２３および走査電極２２に電圧Ｖｓの維持パルスを輝度重みに応じた数だけ交互に印加する。すると、書込み放電を起こした放電セルでは維持放電が起こり発光する。そして、維持期間の最後には電圧Ｖｒに向かって緩やかに上昇するランプ電圧を走査電極２２に印加して、壁電荷を消去する。こうして書込み放電の発生した放電セルを輝度重みに応じた輝度で発光させる維持動作が終了する。
【００３５】
続くサブフィールドの動作は第１サブフィールドの動作とほぼ同様である。
【００３６】
図５は、本発明の実施の形態におけるプラズマディスプレイ装置４０の回路ブロック図である。プラズマディスプレイ装置４０はパネル１０と駆動回路とを備え、駆動回路は、画像信号処理回路４１、データ電極駆動回路４２、走査電極駆動回路４３、維持電極駆動回路４４、タイミング発生回路４５、各回路ブロックに必要な電源を供給する電源回路（図示せず）を備えている。
【００３７】
画像信号処理回路４１は、入力された画像信号をサブフィールド毎の発光・非発光を示す画像データに変換する。データ電極駆動回路４２はサブフィールド毎の画像データをデータ電極３２のそれぞれに印加する書込みパルスに変換する。タイミング発生回路４５は水平同期信号、垂直同期信号をもとにして各回路ブロックの動作を制御する各種のタイミング信号を発生し、それぞれの回路ブロックへ供給する。走査電極駆動回路４３はタイミング信号にもとづいて走査電極２２のそれぞれに印加する駆動電圧を発生し、維持電極駆動回路４４はタイミング信号にもとづいて維持電極２３に印加する駆動電圧を発生する。
【００３８】
そしてこれらの駆動回路は複数枚の回路基板上に実装されている。
【００３９】
図６は、本発明の実施の形態におけるプラズマディスプレイ装置４０の構造を示す分解斜視図である。プラズマディスプレイ装置４０は、パネル１０と、パネル１０を前面に保持するシャーシ５１と、パネル１０で発生した熱をシャーシ５１に伝達するとともにパネル１０とシャーシ５１とを接着するための熱伝導シート５２と、シャーシ５１の背面側に取り付けられ、パネル１０を駆動するための各種の駆動回路を実装した回路基板群５３と、これらを収納する前面枠５５およびバックカバー５６とを備えている。また前面枠５５にはパネル１０を保護するための透明な保護板を設けている。回路基板群５３には、維持電極２３に印加する駆動電圧波形を供給する複数の回路基板を含む。
【００４０】
図７は、本発明の実施の形態におけるプラズマディスプレイ装置４０のパネル１０と維持電極駆動回路４４との接続を示す図であり、パネルの前面基板２１側からみた図である。ただし接続の様子を見やすくするために、回路基板はシャーシ５１から取り外してパネルと同一面に広げた状態である。維持電極駆動回路４４は２枚の回路基板７５、７６に分割されて搭載されている。また回路基板７７〜７９は駆動電圧波形を伝えるための中継用の回路基板である。そして回路基板７５から出力される駆動電圧波形は、維持電極用のＦＰＣ７３（以下、単に「ＦＰＣ７３」と略記する）を介して維持電極用の電極端子６３（以下、単に「電極端子６３」と略記する）に伝えられるか、中継用の回路基板７７を経由しＦＰＣ７３を介して電極端子６３に伝えられるか、中継用の回路基板７８を経由しＦＰＣ７３を介して電極端子６３に伝えられる。同様に、回路基板７６から出力される駆動電圧波形は、ＦＰＣ７３を介して電極端子６３に伝えられるか、中継用の回路基板７８を経由しＦＰＣ７３を介して電極端子６３に伝えられるか、中継用の回路基板７９を経由しＦＰＣ７３を介して電極端子６３に伝えられる。
【００４１】
ここで、特に中継用の回路基板７７または中継用の回路基板７９を経由する電流経路は中継用の回路基板を経由しない電流経路に比べてインピーダンスが大きくなり、その分、短絡線６６を流れる電流が増える。そのため、隣接する電極端子群６７であって、中継用の回路基板７７または中継用の回路基板７９を経由する電流経路を構成するＦＰＣ７３ａが接続された電極端子群６７と中継用の回路基板を経由しない電流経路を構成するＦＰＣ７３ｂが接続された電極端子群６７との間の短絡線６６付近にはヒートスポットが発生しやすく、この部分の前面基板２１の温度差が最も大きくなりやすい。
【００４２】
本実施の形態においてはこの温度差を抑制するために、隣接する電極端子群６７のうち、特にＦＰＣ７３ａが接続されている電極端子群６７とＦＰＣ７３ｂが接続されている電極端子群６７との間の領域の裏面側の領域（すなわち表示面側の領域）を覆うように、前面基板２１に熱伝導テープ８１を貼り付けている。ここで熱伝導テープ８１は、前面基板２１の端部から短絡線６６の少なくとも一部と重なる幅であり、かつ隣接する電極端子群６７のそれぞれの少なくとも一部と重なる長さである。そのため、熱伝導テープ８１の一辺を前面基板２１の端部から１ｍｍ〜２ｍｍの位置になるように貼り付けると、熱伝導テープ８１は短絡線６６の裏面側の領域の一部と必ず重なる。また隣接する電極端子群の裏面側のそれぞれの領域の一部と重なるように貼り付けることができる。このようにして隣接する電極端子群６７の間の領域の裏面側の領域を覆うように、前面基板２１に熱伝導テープ８１を貼り付けている。
【００４３】
なお本実施の形態においては、熱伝導テープ８１として、幅２０ｍｍ、長さ５０ｍｍ、厚み８０μｍの粘着性アルミニウムテープを２枚重ねて貼り付けている。さらにアルミニウムテープが剥がれないように、その上から不織布テープを貼り付けている。
【００４４】
本発明者らは、本実施の形態における熱伝導テープ８１の効果を確認するために、本実施の形態におけるパネル１０の前面基板２１の温度分布を測定した。図８Ａは、本発明の実施の形態における熱伝導テープ８１を貼り付けたパネル１０の模式図である。温度分布の測定は、走査電極２２、維持電極２３が水平になるようにパネル１０を垂直に立てて行った。そして温度勾配が最も大きくなる条件として、表示画面の上部を帯状に白色に発光させた。このとき発光させる領域は表示画面の上部からＦＰＣ７３ａが接続されている位置までの帯状の領域である。そしてそのときの前面基板２１の温度分布を、サーモグラフを用いて測定した。比較のために、熱伝導テープ８１を貼り付けないパネルについても同様の測定を行った。図８Ｂは、熱伝導テープを貼り付けないパネルの模式図である。ここでも表示画面の上部を帯状に白色に発光させ、そのときの前面基板の温度分布を、サーモグラフを用いて測定した。
【００４５】
熱伝導テープ８１を貼り付けないパネルにおいては、図８Ｂに示したＦ点において局所的に高温となってヒートスポットが発生し、図８Ｂに示したＥ点の温度は極小となった。そしてＦ点−Ｅ点間の温度勾配が最も大きくなり、温度勾配２３．１℃／ｃｍで飽和した。これは、表示画面の上部に位置する維持電極を流れる電流のうち、短絡線６６およびＦＰＣ７３ｂを経由して流れる電流が増えるので、図８Ｂに示した短絡線６６のＦ点付近の電流が極大となりＦ点にヒートスポットが発生したと考えられる。また、ガラスの熱伝導率は小さいため、ＦＰＣ７３ａが接続された電極端子群とＦＰＣ７３ｂが接続された電極端子群とに挟まれたＥ点の温度が極小となったと考えられる。
【００４６】
一方、本実施の形態における熱伝導テープ８１を貼り付けたパネル１０においてもＤ点にヒートスポットが発生し、Ｃ点の温度が極小となり、Ｄ点−Ｃ点間の温度勾配が最も大きくなった。しかしその温度勾配は１１．７℃／ｃｍで飽和した。
【００４７】
このように隣接する電極端子群６７の間の領域の裏面側の領域を覆うように、前面基板２１に熱伝導テープ８１を貼り付けることにより、ヒートスポットＤ点で発生した熱を温度の低いＣ点に拡散でき、温度勾配を抑制することができる。そして本実施の形態においては、熱伝導テープ８１を貼り付けることにより、温度勾配が熱伝導テープ８１を貼り付けなかった場合のおよそ１／２に抑えられることが確認できた。
【００４８】
このように本実施の形態においては、隣接する電極端子群６７の間の領域の裏面側の領域を覆うように、前面基板２１に熱伝導テープ８１を貼り付けている。そして熱伝導テープ８１は、前面基板２１の端部から短絡線６６の少なくとも一部と重なる幅であり、かつ隣接する電極端子群６７のそれぞれの少なくとも一部と重なる長さである金属テープである。
【００４９】
そして、熱伝導テープ８１を前面基板２１に貼り付けることにより、大画面および高輝度パネルであっても、前面基板２１に大きな温度勾配を生じることがない。
【００５０】
なお、本実施の形態においては、最も温度勾配が大きくなると予想される箇所、すなわち、隣接する電極端子群６７のうち、異なる回路基板から駆動電圧波形が供給される電極端子群６７の間の領域の裏面側の領域を覆うように、前面基板２１に熱伝導テープ８１を貼り付けた。しかし他の隣接する電極端子群６７の間の領域の裏面側の領域を覆うように、前面基板２１に熱伝導テープ８１を貼り付けてもよい。ただし必要以上に熱伝導テープ８１を貼り付けると不要輻射が大きくなる傾向があるので、ヒートスポットの発生する位置および不要輻射の大きさに基づき熱伝導テープ８１を貼り付ける位置を決定することが望ましい。
【００５１】
なお、実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００５２】
本発明によれば、大画面および高輝度パネルであっても、前面基板に大きな温度勾配を生じることがなく、プラズマディスプレイ装置として有用である。
【符号の説明】
【００５３】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
６１    引出し線
６２，６３    電極端子
６４，６７    電極端子群
６６    短絡線
７２，７３，７３ａ，７３ｂ    ＦＰＣ
７５，７６，７７，７８，７９    回路基板
８１    熱伝導テープ
【図１】
2012083533.tif 000003
【図２】
2012083533.tif 000004
【図３】
2012083533.tif 000005
【図４】
2012083533.tif 000006
【図５】
2012083533.tif 000007
【図６】
2012083533.tif 000008
【図７】
2012083533.tif 000009
【図８Ａ】
2012083533.tif 000010
【図８Ｂ】
2012083533.tif 000011